(57)【特許請求の範囲】
【請求項１】
装置本体の内部に、入金口より投入された貨幣を収納する収納庫と、前記収納庫に収納された貨幣を出金口に導く搬送路とを備え、前記装置本体に対して着脱可能な貨幣収納カセットによって前記装置本体の内部から貨幣を回収するようにした金銭処理装置において、
前記装置本体は、
前記貨幣収納カセットを前記装置本体に装着された状態に拘束するための第１の施錠部を備え、
前記貨幣収納カセットは、
前記貨幣を回収するため開閉自在の回収扉と、
前記回収扉を施錠する第２の施錠部と、
を備え、
前記回収扉と前記第２の施錠部を前記装置本体の外面に臨ませて前記貨幣収納カセットを前記装置本体に装着した状態で、前記回収扉を開閉可能に形成したことを特徴とする金銭処理装置。
【請求項２】
前記装置本体は、さらに前記回収扉の開閉状態を検知する状態検知手段を備え、
前記貨幣収納カセットが装着されているときに前記回収扉の開放状態が検知された場合に前記装置本体での貨幣処理動作を停止するようにしたことを特徴とする請求項１記載の金銭処理装置。
【請求項３】
前記貨幣収納カセットは、前記装置本体の内部から紙幣を回収するための紙幣カセットであることを特徴とする請求項１記載の金銭処理装置。
【請求項４】
前記装置本体は、
複数枚の紙幣が一括して投入可能な紙幣挿入口と、
前記紙幣挿入口に投入された紙幣を１枚ずつ分離して繰り出す入庫紙幣の分離部と、
前記分離部から繰り出された紙幣を収納し、出金時には収納された紙幣を１枚ずつ分離して繰り出す分離部を有する紙幣収納庫と、
前記紙幣収納庫から前記分離部によって繰り出された出庫紙幣を放出する紙幣出金口と、
紙幣回収時には前記出庫紙幣を前記紙幣カセットに送出する搬送路と、
を備えていることを特徴とする請求項３記載の金銭処理装置。
【請求項５】
前記第２の施錠部は、前記紙幣カセットが前記装置本体に装着された状態で、その外面に位置するように設けられていることを特徴とする請求項４記載の金銭処理装置。
【請求項６】
前記装置本体は、さらに前記回収扉の開閉状態を検知する状態検知手段を備え、
前記紙幣カセットが装着されているときに前記回収扉の開放状態が検知された場合に前記装置本体での紙幣処理動作を停止するようにしたことを特徴とする請求項４記載の金銭処理装置。
【発明の詳細な説明】
【技術分野】
【０００１】
本発明は、装置本体の内部に、貨幣の入金口より投入された貨幣を収納する収納庫と、収納庫に収納された貨幣を出金口に導く搬送路とを備え、装置本体に対して着脱可能な貨幣収納カセットによって装置本体の内部から貨幣を回収するようにした金銭処理装置に関し、とくにスーパーマーケットやガソリンスタンドなどの流通分野において、ＰＯＳ（Point Of Sales）レジスタ端末などと接続して使用され、硬貨や紙幣を入出金処理する小型の金銭処理装置に関する。
【背景技術】
【０００２】
店舗レジなどに使用されている金銭処理装置において、客との現金受け渡し業務の合理化が進んでおり、ＰＯＳレジスタ端末と接続されたキャッシュレジスタが普及している。また、最近では、ＰＯＳレジスタ端末へ入力された金銭情報に応じて、自動的に硬貨や紙幣を入出金処理する金銭処理装置が開発されている。
【０００３】
このような金銭処理装置の導入目的は、金銭の払い出しと収納作業とを自動化し、レジを担当するキャッシャの現金取り扱いの負担を軽減しつつ、精算業務の効率を上げること、および違算の撲滅である。さらに、受け取った金銭は装置本体内に納められ、釣銭として必要な金銭のみ払い出されることにより、セキュリティの面からも有利になっている。
【０００４】
一般的には、金銭処理装置は、紙幣を処理する紙幣処理部および硬貨を処理する硬貨処理部を備え、ＰＯＳレジスタ端末の下など近傍位置に設置されて運用される。ここで、売り上げが上昇していくと、それに伴いこの金銭処理装置内の金銭在高は増加していく。一方、金銭処理装置の金銭収納枚数は限られているから、いずれは金銭を入金することができない状態に至ってしまう。したがって、収納部が満杯になる前に、収納した金銭を回収しなければならない。
【０００５】
図６ないし図９は、紙幣の入出金処理を行う金銭処理装置を示す図である。これらの図を参照して、紙幣回収動作の概要について説明する。
図６は、従来の金銭処理装置の全体構成を示す側面断面図である。装置本体１には、複数枚の紙幣を一括して投入可能な紙幣挿入口２が正面側に設けられている。紙幣挿入口２に投入された紙幣は、入庫紙幣を１枚ずつ分離して繰り出すための分離部３から搬送路４に送り出される。搬送路４には、紙幣の金種、真贋を判別する鑑別部５が設けられ、搬送途中の紙幣を判定して搬送路４から装置本体１内の収納庫６，７に収納し、あるいは紙幣出金口８に放出する。
【０００６】
図７は、従来の金銭処理装置の正面構成を示す図である。この装置本体１の正面側には、紙幣挿入口２、紙幣出金口８とともに、着脱自在のカセット形態の紙幣回収部（以下、紙幣カセット９という。）が設けられている。紙幣カセット９は、収納庫６，７に収納された紙幣を回収するためのものであって、装置本体１に設けられた錠１０が施錠され、あるいは開錠されることにより、装置本体１から着脱可能に構成されている。この紙幣カセット９には、紙幣を取り出すための回収扉１１と、その上面に回収扉１１を開閉するための錠１２が設けられている（図６参照）。
【０００７】
図８は、紙幣カセットの側面構成を示す側面断面図である。紙幣カセット９は、その背面に装置本体１の搬送路４から送出された紙幣Ｐを受け入れる開口部９ａを備え、さらに紙幣カセット９の内部で紙幣Ｐを押える押え板９ｂ、および回収された紙幣Ｐが満杯かどうかを検知する満杯検知部（図示せず）を備えている。いま、紙幣カセット９内に回収された紙幣Ｐが満杯になって満杯検知部が動作したとき、係員は装置本体１の錠１０を開錠して、装置本体１から紙幣カセット９を取り出す。そして、紙幣カセット９に設けられた錠１２を所定の鍵で開錠することにより回収扉１１を開けて、紙幣カセット９内の紙幣Ｐを回収して外部の金庫などに収納する。
【０００８】
図９は、紙幣カセットと装置本体の一部分を示す側面断面図である。空になった紙幣カセット９を再び装置本体１に装着するときは、初めに回収扉１１を閉じて錠１２を施錠する。つぎに、紙幣カセット９を装置本体１に装着してから錠１０を施錠し、紙幣カセット９の装着が完了する。
【０００９】
特許文献１には、回収した紙幣および硬貨の運搬を容易に行えるような回収容器を備えた紙幣入出金装置の発明が記載されている。この発明によれば、回収紙幣収納部に回収紙幣を収納した回収容器を筐体から取り外し、別途回収したバラの硬貨を硬貨収納部に投入することで、それらの紙幣と硬貨とを１つの回収容器で一体的に持ち運ぶことができる。
【００１０】
特許文献２の発明は、自動販売機や現金自動支払機などに内蔵される硬貨収納金庫に関するものであり、補充用の硬貨収納金庫や回収用の硬貨収納金庫には、多額の硬貨（現金）が収納されるが、この硬貨を直接手にして取り扱う人間（現金管理責任者）と、この硬貨を収納した硬貨収納金庫を運搬して硬貨処理装置に出し入れする人間（一般係員）とは別人である場合が少なくないという点に着目して、収納された硬貨に対する接触禁止機能を向上させたものである。
【００１１】
特許文献３には、貨幣の回収に人が介入することなく安全に金庫に移すことができる金銭処理装置および金銭処理システムの発明が記載されている。この発明では、金銭処理装置に、内部に収納されている金銭を外部へ搬送するための切換ゲートおよび開口部からなる外部搬送手段を備える構成にした。これにより、回収金庫と併用することで、取引数が多く、接客状態が継続してあるような場所での運用でも、金銭処理装置からの貨幣の回収のために、運用を停止することなく、また、直接貨幣に手を触れることなく回収金庫に貨幣を回収することができ、しかも、担当者は金銭処理装置内の収納状態を気にすることなく、ＰＯＳレジスタ端末からの制御により回収金庫への自動回収も可能であり、防犯的にも有利である。回収金庫への一時的な金銭回収が可能であるので、人手により行う金銭回収回数を低減することもできる。
【００１２】
特許文献４の発明は、特許文献２の発明と同様、現金に対する接触禁止機能の向上と、自動販売機の機能や構造などを考慮した操作性の向上を図り得る硬貨処理装置である。
【特許文献１】特開２００４−３０２５０３号公報（段落番号［００１２］〜［００４３］）
【特許文献２】特開２００３−７７０３０号公報（段落番号［００１５］〜［００３６］）
【特許文献３】特開２０００−１３２７２７号公報（段落番号［００３２］）
【特許文献４】特開平０７−１４６９６６号公報（段落番号［００１１］〜［００３２］）
【発明の開示】
【発明が解決しようとする課題】
【００１３】
しかしながら、スーパーマーケットなど取引が頻繁に行われる店舗レジに金銭処理装置を設置して、従来の紙幣カセットなどを用いる運用をした場合には、つぎのような問題が生じていた。
【００１４】
すなわち、取引の多い店舗レジにおいては金銭処理装置内に収納される紙幣が多いため、営業時間中に収納満杯検知が比較的頻繁に発生する。その場合、係員は金銭処理装置による精算業務を一時的に停止状態にして、内部の紙幣を取り出す必要があった。
【００１５】
こうした頻繁な動作停止を回避するためには、紙幣カセットを用いて装置本体内に収納されている紙幣を回収することになるが、一般的に行われている紙幣回収方法では、紙幣カセットを装置本体から取り出した後、店舗のバックヤードなどに一旦運搬して、バックヤード内で紙幣カセット内の紙幣を回収し、空になった紙幣カセットを再度装置本体に装着するような手順となっていた。また、深夜営業を行う店舗などにおいては、防犯上、必要とする額以上の現金はできるだけ金銭処理装置から回収し、安全な金庫に収納しておくことが望ましい。
【００１６】
ところが、紙幣カセットを取り外したときには、当該金銭処理装置では入出金処理ができない。そのため、紙幣カセットを再装着するまで、その金銭処理装置によるレジ業務は一時的に中断してしまう。また、紙幣カセットとは別に予備カセットを準備し、予備カセットに交換した状態での運用継続も可能ではあるが、余分なコストがかかるとともに、予備カセットの管理が煩雑になるという課題があった。
【００１７】
本発明はこのような点に鑑みてなされたものであり、内部の貨幣を速やかに回収処理でき、しかも貨幣収納のためのカセットの管理が容易であって、かつセキュリティを高めた金銭処理装置を提供することを目的とする。
【課題を解決するための手段】
【００１８】
本発明では、上記問題を解決するために、装置本体の内部に、入金口より投入された貨幣を収納する収納庫と、前記収納庫に収納された貨幣を出金口に導く搬送路とを備え、前記装置本体に対して着脱可能な貨幣収納カセットによって前記装置本体の内部から貨幣を回収するようにした金銭処理装置において、前記装置本体は、前記貨幣収納カセットを前記装置本体に装着された状態に拘束するための第１の施錠部を備え、前記貨幣収納カセットは、前記貨幣を回収するため開閉自在の回収扉と、前記回収扉を施錠する第２の施錠部と、を備え、前記回収扉と前記第２の施錠部を前記装置本体の外面に臨ませて前記貨幣収納カセットを前記装置本体に装着した状態で、前記回収扉を開閉可能に形成したことを特徴とする金銭処理装置が提供される。
【発明の効果】
【００１９】
本発明によれば、貨幣収納カセットを装置本体から取り外すことなく、その内部の貨幣を直接回収することができるので、回収処理を速やかに完了できる。これにより、店舗営業時間中に回収処理が必要になっても、短い中断時間の後にレジ業務を復活して店舗における生産性や業務効率を向上することができる。
【００２０】
また、通常の貨幣収納カセットによる回収も可能であるため、深夜時間帯での防犯上のセキュリティ、あるいは現金管理面でのカセット運用が要求されている場合などを含めて、金銭処理装置の使用状況に応じた運用ができる。
【発明を実施するための最良の形態】
【００２１】
以下、図面を参照してこの発明の実施の形態について説明する。
図１は、実施の形態に係る金銭処理装置の全体構成を示す側面断面図である。この金銭処理装置は、従来装置として説明した紙幣の入出金処理を取り扱うものと同じであって、釣銭処理が可能に構成されており、対応する部分には同一の符号を付けて説明する。
【００２２】
装置本体１の正面上方には、紙幣挿入口２が設けられている。分離部３は、紙幣挿入口２に挿入された入金紙幣を一枚ずつに分離して繰り出すためのもので、ここで分離された入金紙幣が搬送路４に繰り出される。繰り出された入金紙幣は、搬送路４によりさらに装置内部に搬送され、その搬送途中にある入金紙幣の鑑別部５によりその真偽、および金種などの判定が行われる。金銭処理装置は、鑑別部５での判定結果に基づいて、入金紙幣が金種別に収納庫６または収納庫７に収納され、あるいは紙幣出金口８に搬送されるように構成されている。
【００２３】
図２は、図１の金銭処理装置の正面構成を示す図である。
この金銭処理装置には、紙幣出金口８が装置本体１の正面であって、紙幣挿入口２の下部に設けられている。出金に際しては、指令された払い出し額に基づいて収納庫６または収納庫７から釣銭相当額の紙幣が搬送路４に繰り出され、さらに紙幣出金口８まで搬送されて、釣銭の払い出しなどが行われる。また、この装置本体１の正面下方には紙幣カセット９が着脱可能な部分９ｈ（図１参照）が設けられ、紙幣カセット９は装置本体１の正面右側に設けられた錠１０の施開錠によって取り外しと装着が行われる。
【００２４】
紙幣カセット９の回収扉１１は、内部から紙幣を取り出すためのものであって、ここには装置本体１の正面側から操作可能な位置に錠１２が設けられている。この回収扉１１は紙幣カセット９の前面側に設けられているから、所定の鍵によって錠１２を開錠すれば、後述する図５に示すように紙幣カセット９を装置本体１に装着した状態でも回収扉１１の開閉が可能になる。この点で、従来装置と異なっている。
【００２５】
また、装置本体１に紙幣カセット９が装着された状態において、回収扉１１の開閉状態を検知するための状態検知装置１３が設けられている（図１参照）点でも、従来装置とは異なっている。回収に際しては、紙幣回収指令に基づいて収納庫６または収納庫７から紙幣が繰り出され、搬送路４を通って紙幣カセット９まで搬送され、そこに収納される。
【００２６】
つぎに、紙幣カセット９からの紙幣回収方法について説明する。
図３は、紙幣カセットが装置本体から取り出される状態を示す側面断面図である。
通常の紙幣回収方法では、錠１０を開錠して紙幣カセット９を装置本体１から取り外し、バックヤードなどに運搬する。ついで、紙幣カセット９の錠１２を開錠して回収扉１１を開けて、その内部から紙幣Ｐを回収する。
【００２７】
図４には、図３の紙幣カセットの回収扉を開いた側面断面状態を示している。バックヤードなどにおいて紙幣Ｐを回収した後は、空になった紙幣カセット９の回収扉１１を閉じて錠１２を施錠する。最後に、紙幣カセット９を装置本体１に再装着し、錠１０を施錠して回収処理を完了する。
【００２８】
図５は、図３の紙幣カセットが装置本体に装着されたままで回収扉が開放された状態を示す側面断面図である。
店舗の営業時間中などでは、レジ業務の中断時間をできるだけ短くする必要がある。そのためには、紙幣カセット９を装置本体１に装着したままで回収扉１１を開放し、その内部の紙幣Ｐを回収すればよい。
【００２９】
すなわち、装置本体１に紙幣カセット９が装着された状態で、錠１２を開錠して回収扉１１を開けて、その内部の紙幣Ｐを直接回収する。紙幣Ｐの回収後には、回収扉１１を閉じて錠１２を施錠し、回収処理が完了する。したがって、紙幣カセット９とは別に予備カセットなどを準備しなくても、金銭処理装置の使用状況に応じた運用ができる。
【００３０】
また、この金銭処理装置では、状態検知装置１３により回収扉１１の開閉状態を監視して、紙幣処理動作を制御している。したがって、回収扉１１の開放状態が検知されたときは、入出金処理や収納庫６，７からの紙幣の回収動作など、紙幣処理動作を停止するように制御することができる。
【００３１】
以上、この実施の形態の金銭処理装置によれば、紙幣Ｐが収納された紙幣カセット９を装置本体１から取り外すことなく、その内部の紙幣Ｐを直接回収することができる。したがって、たとえ店舗営業時間中に回収処理が必要になったときでも、紙幣Ｐの回収処理を速やかに完了して、短い中断時間でレジ業務を復活させることにより、店舗における生産性や業務効率が確実に向上できる。
【００３２】
なお、上述した実施の形態では紙幣Ｐの回収について説明したが、この発明の金銭処理装置は、硬貨の入出金処理にともなう回収処理にも同様に適用できる。
【図面の簡単な説明】
【００３３】
【図１】実施の形態に係る金銭処理装置の全体構成を示す側面断面図である。
【図２】図１の金銭処理装置の正面構成を示す図である。
【図３】紙幣カセットが装置本体から取り出される状態を示す側面断面図である。
【図４】図３の紙幣カセットの側面構成を示す側面断面図である。
【図５】図３の紙幣カセットが装置本体に装着されたままで回収扉が開放された状態を示す側面断面図である。
【図６】従来の金銭処理装置の全体構成を示す側面断面図である。
【図７】従来の金銭処理装置の正面構成を示す図である。
【図８】紙幣カセットの側面構成を示す側面断面図である。
【図９】紙幣カセットと装置本体の一部分を示す側面断面図である。
【符号の説明】
【００３４】
１  金銭処理装置の装置本体
２  紙幣挿入口
３  分離部
４  搬送路
５  鑑別部
６，７  収納庫
８  紙幣出金口
９  紙幣カセット
１０  錠（第１の施錠部）
１１  回収扉
１２  錠（第２の施錠部）
１３  状態検知装置
【図１】
0004622706.tif 000002
【図２】
0004622706.tif 000003
【図３】
0004622706.tif 000004
【図４】
0004622706.tif 000005
【図５】
0004622706.tif 000006
【図６】
0004622706.tif 000007
【図７】
0004622706.tif 000008
【図８】
0004622706.tif 000009
【図９】
0004622706.tif 000010